(57)【要約】【課題】本発明は、無線通信システムに関する。特に、本発明は、無線通信システムで複数のキャリアを有する端末がＴＴＩバンドリングを設定する方法及び装置に関する。【解決手段】上記方法は、第１基地局（ＢＳ）に属するアップリンクが設定された第１セルを設定するステップであって、上記第１セルは、送信時間間隔（Transmission Time Interval；ＴＴＩ）バンドリングが動作可能になるように設定されるステップと、第２基地局に属するアップリンクが設定された第２セルを設定することを指示するメッセージを受信するステップと、上記第１基地局と上記第２基地局とが異なる場合、上記第１セルに対するＴＴＩバンドリングの使用を維持しながら上記メッセージによって上記第２セルを設定するステップと、を有する。【選択図】図１３
2017505017.tif 000002
【特許請求の範囲】
【請求項１】
端末（ＵＥ）が無線通信システムで動作する方法において、
第１基地局（ＢＳ）に属するアップリンクが設定された第１セルを設定するステップであって、前記第１セルは、送信時間間隔（ＴＴＩ）バンドリングが動作可能になるように設定されるステップと、
第２基地局に属するアップリンクが設定された第２セルを設定することを指示するメッセージを受信するステップと、
前記第１基地局と前記第２基地局とが異なる場合、前記第１セルに対するＴＴＩバンドリングの使用を維持しながら前記メッセージによって前記第２セルを設定するステップと、を有する方法。
【請求項２】
前記第１基地局と前記第２基地局とが同一である場合、接続再確立手続を開始するステップと、
前記メッセージによる前記第２セルに対する設定の失敗を前記第１基地局に知らせるステップと、をさらに有する、請求項１に記載の方法。
【請求項３】
前記第１基地局と前記第２基地局とが同一である場合、前記メッセージによって前記第２セルを設定するステップと、
前記第１セルに対するＴＴＩバンドリングの設定を解放するステップと、
前記第１セルに対するＴＴＩバンドリングを動作不能にしたことを前記第１基地局に知らせるステップと、をさらに有する、請求項１に記載の方法。
【請求項４】
前記メッセージは、セルの識別子と、前記セルがどの基地局に属するかを示す基地局識別子と、を有する、請求項１に記載の方法。
【請求項５】
端末（ＵＥ）が無線通信システムで動作する方法において、
第１基地局（ＢＳ）に属するアップリンクが設定された第１セルと第２基地局に属するアップリンクが設定された第２セルとを設定するステップと、
前記第１セルに対する送信時間間隔（ＴＴＩ）バンドリングを設定することを指示するメッセージを受信するステップと、
前記第１基地局と前記第２基地局とが異なる場合、前記メッセージによって前記第１セルに対するＴＴＩバンドリングを設定するステップと、を有する方法。
【請求項６】
前記第１基地局と前記第２基地局とが同一である場合、接続再確立手続を開始するステップをさらに有する、請求項５に記載の方法。
【請求項７】
前記メッセージによる前記第１セルに対するＴＴＩバンドリングに関する設定の失敗を前記第１基地局に知らせるステップをさらに有する、請求項５に記載の方法。
【請求項８】
前記メッセージは、セルの識別子と、前記セルがどの基地局に属するかを示す基地局識別子と、を有する、請求項５に記載の方法。
【請求項９】
無線通信システムで動作する端末であって、
無線周波数（ＲＦ）モジュールと、
前記ＲＦモジュールを制御するように構成されるプロセッサと、を有し、
前記プロセッサは、
第１基地局（ＢＳ）に属するアップリンクが設定された第１セルを設定し、前記第１セルは、送信時間間隔（ＴＴＩ）バンドリングが動作可能になるように設定され、
第２基地局に属するアップリンクが設定された第２セルを設定することを指示するメッセージを受信し、
前記第１基地局と前記第２基地局とが異なる場合、前記第１セルに対するＴＴＩバンドリングの使用を維持しながら前記メッセージによって前記第２セルを設定するよう構成される、端末。
【請求項１０】
前記プロセッサは、前記第１基地局と前記第２基地局とが同一である場合、接続再確立手続を開始し、前記メッセージによる前記第２セルに対する設定の失敗を前記第１基地局に知らせるようさらに構成される、請求項９に記載の端末。
【請求項１１】
前記プロセッサは、前記第１基地局と前記第２基地局とが同一である場合、前記メッセージによって前記第２セルを設定し、前記第１セルに対するＴＴＩバンドリングの設定を解放し、前記第１セルに対するＴＴＩバンドリングを動作不能にしたことを前記第１基地局に知らせるようさらに構成される、請求項９に記載の端末。
【請求項１２】
前記メッセージは、セルの識別子と、前記セルがどの基地局に属するかを示す基地局識別子と、を有する、請求項９に記載の端末。
【請求項１３】
無線通信システムで動作する端末であって、
無線周波数（ＲＦ）モジュールと、
前記ＲＦモジュールを制御するように構成されるプロセッサと、を有し、
前記プロセッサは、
第１基地局（ＢＳ）に属するアップリンクが設定された第１セルと第２基地局に属するアップリンクが設定された第２セルとを設定し、
前記第１セルに対する送信時間間隔（ＴＴＩ）バンドリングを設定することを指示するメッセージを受信し、
前記第１基地局と前記第２基地局とが異なる場合、前記メッセージによって前記第１セルに対するＴＴＩバンドリングを設定するよう構成される、端末。
【請求項１４】
前記プロセッサは、前記第１基地局と前記第２基地局とが同一である場合、接続再確立手続を開始するようさらに構成される、請求項１３に記載の端末。
【請求項１５】
前記プロセッサは、前記メッセージによる前記第１セルに対するＴＴＩバンドリングに関する設定の失敗を前記第１基地局に知らせるようさらに構成される、請求項１３に記載の端末。
【請求項１６】
前記メッセージは、セルの識別子と、前記セルがどの基地局に属するかを示す基地局識別子と、を有する、請求項１３に記載の端末。
【発明の詳細な説明】
【技術分野】
【０００１】
本発明は、無線通信システムに関し、より詳細には、複数のキャリアを有する端末が送信時間間隔（Transmission Time Interval；ＴＴＩ）バンドリングを設定する方法及び複数のキャリアを有する端末がＴＴＩバンドリングを設定する装置に関する。
【背景技術】
【０００２】
本発明を適用できる無線通信システムの一例として、第３世代パートナシッププロジェクトロングタームエボリューション（3rd Generation Partnership Project Long Term Evolution；３ＧＰＰ  ＬＴＥ、以下、「ＬＴＥ」という）通信システムについて概略的に説明する。
【０００３】
図１は、無線通信システムの一例として、Ｅ−ＵＭＴＳ網の構造を概略的に示した図である。発展型ＵＭＴＳ（Evolved Universal Mobile Telecommunications System；Ｅ−ＵＭＴＳ）は、既存のユニバーサル移動電話システム（Universal Mobile Telecommunications System；ＵＭＴＳ）から進展したシステムであって、現在、３ＧＰＰで基礎的な標準化作業を進めている。一般に、Ｅ−ＵＭＴＳは、ＬＴＥ（Long Term Evolution）システムと称することもできる。ＵＭＴＳ及びＥ−ＵＭＴＳの技術規格（technical specification）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照することができる。
【０００４】
図１を参照すると、Ｅ−ＵＭＴＳは、端末（User Equipment；ＵＥ）と、基地局（ｅＮｏｄｅ  Ｂｓ（ｅＮＢｓ）と、ネットワーク（Ｅ−ＵＴＲＡＮ）の終端に位置し、外部ネットワークと接続されるアクセスゲートウェイ（Access Gateway；ＡＧ）と、を含む。基地局は、ブロードキャストサービス、マルチキャストサービス及び／又はユニキャストサービスのために複数の（多重）データストリーム（multiple data streams）を同時に送信することができる。
【０００５】
一つの基地局には一つ又は複数のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうちの一つに設定され、複数の端末にダウンリンク又はアップリンク送信サービスを提供する。互いに異なるセルは、互いに異なる帯域幅を提供するように設定することができる。基地局は、複数の（a plurality of）端末に対するデータ送受信を制御する。ダウンリンク（DownLink；ＤＬ）データに関して、基地局は、ダウンリンクスケジューリング情報を対応する（corresponding）端末に送信することによって、当該端末にデータが送信される時間／周波数領域、符号化、データサイズ、ＨＡＲＱ（Hybrid Automatic Repeat and reQuest）関連情報などを知らせる。また、アップリンク（UpLink；ＵＬ）データに関して、基地局は、アップリンクスケジューリング情報を対応する端末に送信し、当該端末が使用可能な時間／周波数領域、符号化、データサイズ、ＨＡＲＱ関連情報などを知らせる。各基地局間では、ユーザトラフィック又は制御トラフィックの送信のためのインタフェースを使用することができる。コアネットワーク（Core Network；ＣＮ）は、ＡＧと端末のユーザ登録などのためのネットワークノードなどとで構成することができる。ＡＧは、複数のセルで構成されるＴＡ（Tracking Area）単位で端末のモビリティ（移動性）（mobility）を管理する。
【０００６】
無線通信技術は、ＷＣＤＭＡ（登録商標）に基づいてＬＴＥまで開発されてきたが、ユーザ及び事業者の要求及び期待は持続的に増加している。また、他の無線アクセス（接続）技術（radio access technologies）が継続して開発されているので、今後、競争力を有するためには新たな技術の発展（evolution）が要求され、ビット当たりのコストの削減（Decrease in cost per bit）、サービス可用性の向上（increase in service availability）、フレキシビリティ（融通性）のある周波数帯域の使用（flexible use of frequency bands）、シンプル構造（simplified structure）及びオープン（開放型）インタフェース（open interface）、端末の適切な電力消費（power consumption）などが要求される。
【発明の概要】
【発明が解決しようとする課題】
【０００７】
本発明の目的は、複数のキャリア（搬送波）（carriers）でＴＴＩバンドリングを構成する方法及び複数のキャリアでＴＴＩバンドリングを構成する装置を提供することにある。本発明で達成しようとする技術的課題は、以上で言及した技術的課題に制限されず、言及していない他の技術的課題は、下記の記載から本発明の属する技術分野で通常の知識を有する者に明確に理解され得るだろう。
【課題を解決するための手段】
【０００８】
本発明は、無線通信システムで動作する端末（User Equipment；ＵＥ）に関する方法において、第１基地局（Base Station；ＢＳ）に属するアップリンクが設定された第１セルを設定（configure）するステップであって、該第１セルは、送信時間間隔（Transmission Time Interval；ＴＴＩ）バンドリングが動作可能になるように設定されるステップと、第２基地局に属するアップリンクが設定された第２セルを設定することを指示するメッセージを受信するステップと、第１基地局と第２基地局とが異なる場合、第１セルに対するＴＴＩバンドリングの使用を維持しながらメッセージによって第２セルを設定するステップと、を有する方法によって提供される。
【０００９】
本発明の他の形態において、無線通信システムで動作する端末（User Equipment；ＵＥ）であって、無線周波数（ＲＦ；Radio Frequency）モジュールと、ＲＦモジュールを制御するように構成されるプロセッサと、を有し、プロセッサは、第１基地局（Base Station；ＢＳ）に属するアップリンクが設定された第１セルを設定（configure）し、第１セルは、送信時間間隔（Transmission Time Interval；ＴＴＩ）バンドリングが動作可能になるように設定され、第２基地局に属するアップリンクが設定された第２セルを設定することを指示するメッセージを受信し、第１基地局と第２基地局とが異なる場合、第１セルに対するＴＴＩバンドリングの使用を維持しながらメッセージによって第２セルを設定する端末を通じて提供される。
【００１０】
一方、本発明の他の形態において、無線通信システムで動作する端末（User Equipment；ＵＥ）に関する方法において、第１基地局（Base Station；ＢＳ）に属するアップリンクが設定された第１セルと第２基地局に属するアップリンクが設定された第２セルとを設定するステップと、第１セルに対する送信時間間隔（Transmission Time Interval；ＴＴＩ）バンドリングを設定することを指示するメッセージを受信するステップと、第１基地局と第２基地局とが異なる場合、メッセージによって第１セルに対するＴＴＩバンドリングを設定するステップと、を有する方法が提供される。
【００１１】
本発明の他の形態において、無線通信システムで動作する端末（User Equipment；ＵＥ）であって、無線周波数（ＲＦ；Radio Frequency）モジュールと、ＲＦモジュールを制御するように構成されるプロセッサと、を有し、プロセッサは、第１基地局（Base Station；ＢＳ）に属するアップリンクが設定された第１セルと第２基地局に属するアップリンクが設定された第２セルとを設定し、第１セルに対する送信時間間隔（Transmission Time Interval；ＴＴＩ）バンドリングを設定することを指示するメッセージを受信し、第１基地局と第２基地局とが異なる場合、メッセージによって第１セルに対するＴＴＩバンドリングを設定する端末によって提供される。
【００１２】
好ましくは、上記方法は、第１基地局と第２基地局とが同一である場合、接続再確立手続（connection re-establishment procedure）を開始するステップと、メッセージによる第２セルに対する設定の失敗を第１基地局に知らせるステップと、をさらに有する。
【００１３】
好ましくは、上記方法は、第１基地局と第２基地局とが同一である場合、メッセージによって第２セルを設定するステップと、第１セルに対するＴＴＩバンドリングの設定を解放する（release）ステップと、第１セルに対するＴＴＩバンドリングを動作不能にしたことを第１基地局に知らせるステップと、をさらに有する。
【００１４】
好ましくは、メッセージは、セルの識別子と、セルがどの基地局に属するかを示す基地局識別子と、を有する。
【００１５】
上述した一般的な説明と次の本発明の詳細な説明とは、例示的で且つ説明するためのものであって、本発明の追加の説明を提供するためのものと意図されることを理解しなければならない。
【発明の効果】
【００１６】
本発明によると、複数のキャリアアグリゲーション（carrier aggregation）システムでＴＴＩバンドリングを効率的に構成することができる。本発明で得られる効果は、以上で言及した効果に制限されず、言及していない他の効果は、下記の記載から本発明の属する技術分野で通常の知識を有する者に明確に理解され得るだろう。
【図面の簡単な説明】
【００１７】
【図１】無線通信システムの一例であり、Ｅ−ＵＭＴＳネットワークの構造を概略的に示す図である。
【図２Ａ】Ｅ−ＵＴＲＡＮ（Evolved-Universal Terrestrial Radio Access Network）の構造を示すブロック図である。
【図２Ｂ】一般的なＥ−ＵＴＲＡＮとＥＰＣとの構造を示すブロック図である。
【図３】３ＧＰＰ無線接続網規格に基づく端末とＥ−ＵＴＲＡＮとの間における無線インタフェースプロトコル（Radio Interface Protocol）の制御プレーン（Control Plane）及びユーザプレーン（User Plane）の構造を示す図である。
【図４】Ｅ−ＵＭＴＳシステムで用いられる物理チャネルの構造の一例を示す図である。
【図５】本発明の実施例に係る通信装置を示すブロック図である。
【図６】同期非適応型（non-adaptive）ＵＬ  ＨＡＲＱ動作を例示する概念図である。
【図７】ＨＡＲＱ動作におけるＴＴＩバンドリングに関する図である。
【図８】キャリアアグリゲーションに関する図である。
【図９】ＲＲＣ接続再設定動作に関する図である。
【図１０】ＭＣＳ（Master Cell Group）とＳＣＧ（Secondary Cell Group）との間のデュアル接続に関する概念図である。
【図１１Ａ】デュアル接続に関わる基地局のＣプレーン接続に関する概念図である。
【図１１Ｂ】デュアル接続に関わる基地局のＵプレーン接続に関する概念図である。
【図１２】デュアル接続のための無線プロトコルアーキテクチャに関する概念図である。
【図１３】本発明の実施例に係る複数のキャリアを有する端末におけるＴＴＩバンドリングを設定する方法に関する概念図である。
【図１４】本発明の実施例に係る複数のキャリアを有する端末におけるＴＴＩバンドリングを設定する方法に関する概念図である。
【発明を実施するための形態】
【００１８】
本明細書に添付する図面は、本発明に関する理解を提供するためのものであり、本発明の様々な実施の形態を示し、明細書の記載と共に本発明の原理を説明するためのものである。
【００１９】
ＵＭＴＳ（Universal Mobile Telecommunication System）は、ヨーロッパシステム、ＧＳＭ（登録商標）（Global system for mobile communication）、及びＧＰＲＳ（General Packet Radio Service）に基づく広帯域符号分割多元接続（Wideband Code Division Multiple Access；ＷＣＤＭＡ）で動作する第３世代（3rd Generation；３Ｇ）非同期移動通信システム（asynchronous mobile communication system）である。ＵＭＴＳのＬＴＥ（Long-Term Evolution）は、ＵＭＴＳを規格化する３ＧＰＰによって議論中にある。
【００２０】
３ＧＰＰ  ＬＴＥは、高速パケット通信を可能にする技術である。ユーザ及びプロバイダ（提供者）（provider）のコストを削減し、サービス品質を改善し、カバレッジ（coverage）及びシステム容量を拡張及び改善することを目的とするＬＴＥの課題のための多くの方法が提案された。３Ｇ  ＬＴＥは、上位レベルの要求として（as an upper-level requirement）、ビット（bit）当たりのコストの削減、サービス可用性の向上、周波数帯域のフレキシビリティ（柔軟性）（flexible use of frequency bands）、シンプル構造（simplified structure）、オープン（開放型）インタフェース（open interface）、及び端末の適切な電力消費を要求する。
【００２１】
以下では、添付の図面を参照して説明される本発明の各実施例により、本発明の構成、作用及び他の特徴が容易に理解され得るだろう。以下で説明する各実施例は、本発明の技術的特徴が３ＧＰＰシステムに適用された各例である。
【００２２】
本明細書は、ＬＴＥシステム及びＬＴＥ−Ａシステムを用いて本発明の各実施例を説明するが、これは例示に過ぎない。したがって、本発明の各実施例は、上記定義に該当するいずれの通信システムにも適用することができる。また、本明細書は、ＦＤＤ方式を基準にして本発明の実施例について説明するが、これは例示であって、本発明の実施例は、Ｈ−ＦＤＤ方式又はＴＤＤ方式にも容易に変形して適用することができる。
【００２３】
図２Ａは、発展型ユニバーサル地上無線アクセスネットワーク（Evolved-Universal Terrestrial Radio Access Network；Ｅ−ＵＴＲＡＮ）網の構造を示すブロック図である。Ｅ−ＵＭＴＳは、ＬＴＥシステムと称することもできる。通信網は、ＩＭＳ及びパケットデータを通じたＶｏＩＰ（Voice over IP）などの多様なサービスを提供するために広く配置される。
【００２４】
図２Ａに示したように、Ｅ−ＵＭＴＳ網は、発展型ユニバーサル地上無線アクセスネットワーク（Evolved UMTS Terrestrial Radio Access Network；Ｅ−ＵＴＲＡＮ）、発展パケットコア（Evolved Packet Core；ＥＰＣ）、及び一つ又は複数の端末を含む。Ｅ−ＵＴＲＡＮは、一つ又は複数の発展型ノードＢ（evolved NodeB；ｅＮＢ）２０を含むことができ、複数の端末１０が一つのセルに位置することができる。一つ又は複数のＥ−ＵＴＲＡＮ  モビリティ管理エンティティ（Mobility Management Entity；ＭＭＥ）／システムアーキテクチャエボリューション（System Architecture Evolution；ＳＡＥ）ゲートウェイ３０は、ネットワークの終端に位置し、外部ネットワークに接続することもできる。
【００２５】
本明細書において、「ダウンリンク（downlink）」は、ｅＮＢ２０から端末１０への通信を称し、「アップリンク（uplink）」は、端末１０からｅＮＢ２０への通信を称する。端末１０は、ユーザによって運ばれる（carried）通信装置（communication equipment）を称し、また、移動局（Mobile Station；ＭＳ）、ユーザ端末（User Terminal；ＵＴ）、加入者局（ステーション）（Subscriber Station；ＳＳ）又は無線デバイスと称することもできる。
【００２６】
図２Ｂは、一般的なＥ−ＵＴＲＡＮと一般的なＥＰＣとの構造を示すブロック図である。
【００２７】
図２Ｂに示したように、ｅＮＢ２０は、ユーザプレーン及び制御プレーンのエンドポイント（end point）をＵＥ１０に提供する。ＭＭＥ／ＳＡＥゲートウェイ３０は、セッション及びモビリティ（mobility）管理機能のエンドポイントをＵＥ１０に提供する。ｅＮＢ２０及びＭＭＥ／ＳＡＥゲートウェイ３０は、Ｓ１インタフェースを介して接続することができる。
【００２８】
ｅＮＢ２０は、一般にＵＥ１０と通信する固定局であって、基地局（ＢＳ）又はアクセスポイント（access point）と称することもある。一つのｅＮＢ２０はセルごとに配置することができる。ユーザトラフィック又は制御トラフィックを送信するためのインタフェースをｅＮＢ２０間で使用することができる。
【００２９】
ＭＭＥは、ｅＮＢ２０に対するＮＡＳシグナリング、ＮＡＳシグナリングセキュリティ、ＡＳセキュリティ制御、３ＧＰＰ接続ネットワーク間のモビリティのためのＣＮノード間（インターＣＮノード）シグナリング（Inter CN node signaling）、（ページング再送信の制御及び実行を含む）アイドルモード（idle mode）ＵＥ到達可能性（接近性）（Reachability）、（アイドルモード及びアクティブ（活性）モード（active mode）のＵＥのための）トラッキング領域リスト管理（Tracking Area list management）、ＰＤＮ  ＧＷ及びサービングＧＷの選択、ＭＭＥの変更（変化）を伴うハンドオーバのためのＭＭＥの選択、２Ｇ又は３Ｇ  ３ＧＰＰ接続ネットワークへのハンドオーバのためのＳＧＳＮの選択、ローミング、認証、専用ベアラ確立（設定）（establishment）を含むベアラ管理、（ＥＴＷＳ及びＣＭＡＳを含む）ＰＷＳメッセージ送信のためのサポートを含む多様な機能を行う。ＳＡＥゲートウェイホストは、（例えば、ディープパケットインスペクション（deep packet inspection）による）パーユーザ（Per-user）ベースの（ユーザごとの）パケットフィルタリング、ローフル（適法な）インターセプション（Lawful Interception）、ＵＥ  ＩＰアドレス割り当て、ダウンリンクでのトランスポート（送信）（Transport）レベルパケットマーキング、ＵＬ及びＤＬサービスレベル課金、ゲーティング及びレート強制（強化）（rate enforcement）、ＡＰＮ−ＡＭＢＲに基づいたＤＬレート強制を含む多様な機能を提供する。ＭＭＥ／ＳＡＥゲートウェイ３０は、明確性のために、本明細書において単に「ゲートウェイ」と称する。しかし、ＭＭＥ／ＳＡＥゲートウェイ３０は、ＭＭＥ及びＳＡＥゲートウェイの両方を全て含む。
【００３０】
複数のノードは、ｅＮＢ２０とゲートウェイ３０との間でＳ１インタフェースを介して接続することができる。各ｅＮＢ２０は、Ｘ２インタフェースを介して相互接続することができ、各隣接ｅＮＢは、Ｘ２インタフェースを有するメッシュネットワーク構造（meshed network structure）を有することができる。
【００３１】
図２Ｂに示したように、ｅＮＢ２０は、ゲートウェイ３０に関する選択、無線リソース制御（Radio Resource Control；ＲＲＣ）のアクティベーション（活性化）中のゲートウェイへのルーティング（routing toward the gateway during a Radio Resource Control (RRC) activation）、ページングメッセージのスケジューリング及び送信、ブロードキャストチャネル（ＢＣＣＨ）情報のスケジューリング及び送信、アップリンク及びダウンリンクの両方における各ＵＥ１０のための動的リソース割り当て、ｅＮＢ測定の設定（構成）及びプロビジョン（準備）（configuration and provisioning）、無線ベアラ（Radio Bearer；ＲＢ）制御、無線アドミッション（許可）（承認）制御（Radio Admission Control；ＲＡＣ）、及びＬＴＥ＿ＡＣＴＩＶＥ状態での接続モビリティ（移動性）制御（connection mobility control）などの各機能を行うことができる。ＥＰＣにおいて、ゲートウェイ３０は、ページング発信（paging origination）、ＬＴＥ＿ＩＤＬＥ状態管理、ユーザプレーン暗号化、システムアーキテクチャ（構造）エボリューション（System Architecture Evolution；ＳＡＥ）ベアラ制御、及び非アクセス（接続）層（Non-Access Stratum；ＮＡＳ）シグナリングの暗号化及び完全性（インテグリティ）（無欠性）（integrity）保護などの各機能を行うことができる。
【００３２】
ＥＰＣは、モビリティ管理エンティティ（Mobility Management Entity；ＭＭＥ）、サービング−ゲートウェイ（serving-gateway；Ｓ−ＧＷ）、及びパケットデータネットワーク−ゲートウェイ（Packet Data Network-Gateway；ＰＤＮ−ＧＷ）を含む。ＭＭＥは、主に各端末のモビリティを管理する目的で用いられる各端末の接続及び能力（可用性）（capabilities）に関する情報を有する。Ｓ−ＧＷは、Ｅ−ＵＴＲＡＮを終端点として有するゲートウェイであり、ＰＤＮ−ＧＷは、パケットデータネットワーク（ＰＤＮ）を終端点として有するゲートウェイである。
【００３３】
図３は、３ＧＰＰ無線接続網規格に基づく端末とＥ−ＵＴＲＡＮとの間の無線インタフェースプロトコルの制御プレーン及びユーザプレーンの構造を示す図である。制御プレーンは、端末（User Equipment；ＵＥ）とネットワークとが呼（コール）（call）を管理するために用いる各制御メッセージが送信される通信路（path）を意味する。ユーザプレーンは、アプリケーション層で生成されたデータ、例えば、音声データ又はインターネットパケットデータなどが送信される通信路を意味する。
【００３４】
第１層である物理（PHYsical；ＰＨＹ）層は、物理チャネル（Physical Channel）を用いて上位層に情報送信サービス（Information Transfer Service）を提供する。物理層は、上位にある媒体接続制御（Medium Access Control）層とはトランスポート（送信）チャネル（Transport Channel）を介して接続されている。上記トランスポートチャネルを介して媒体接続制御層と物理層との間でデータが移動する。送信側と受信側との物理層間では、物理チャネルを介してデータが移動する。上記物理チャネルは、時間及び周波数を無線リソースとして使用する。具体的には、物理チャネルは、ダウンリンクにおいて直交周波数分割多元接続（Orthogonal Frequency Division Multiple Access；ＯＦＤＭＡ）方式で変調され、アップリンクにおいて単一搬送波周波数分割多元接続（Single Carrier Frequency Division Multiple Access；ＳＣ−ＦＤＭＡ）方式で変調される。
【００３５】
第２層の媒体接続制御（Medium Access Control；ＭＡＣ）層は、論理チャネル（Logical Channel）を介して上位層である無線リンク制御（Radio Link Control；ＲＬＣ）層にサービスを提供する。第２層のＲＬＣ層は、信頼性のあるデータ送信をサポートする。ＲＬＣ層の機能は、ＭＡＣ内部の機能ブロックで具現することもできる。第２層のＰＤＣＰ（Packet Data Convergence Protocol）層は、帯域幅の狭い無線インタフェースにおけるＩＰバージョン４（IP version 4；ＩＰｖ４）パケットやＩＰバージョン６（ＩＰｖ６）パケットなどのＩＰ（Internet Protocol）パケットを効率良く送信するために、不必要な制御情報を減少させるヘッダ圧縮（Header Compression）機能を行う。
【００３６】
第３層の最下部に位置する無線リソース制御（Radio Resource Control；ＲＲＣ）層は、制御プレーンのみで定義される。ＲＲＣ層は、各無線ベアラ（Radio Bearer；ＲＢ）の設定（Configuration）、再設定（Re-configuration）及び解放（Release）と関連して論理チャネル、トランスポートチャネル及び物理チャネルの制御を担当する。ＲＢは、端末とネットワークとの間のデータ伝達のために第２層によって提供されるサービスを意味する。このために、端末とネットワークとのＲＲＣ層は、互いにＲＲＣメッセージを交換する。
【００３７】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうちの一つで動作するように設定することができ、この帯域でダウンリンク又はアップリンク送信サービスを提供するように設定することができる。異なるセルは、異なる帯域を提供するように設定することもできる。
【００３８】
Ｅ−ＵＴＲＡＮから端末への送信のためのダウンリンク送信チャネル（Downlink transport Channel）は、システム情報を送信するＢＣＨ（Broadcast CHannel）、各ページングメッセージを送信するＰＣＨ（Paging CHannel）、及びユーザトラフィック又は各制御メッセージを送信するためのダウンリンク共有チャネル（Shared CHannel；ＳＣＨ）を含む。ダウンリンクマルチキャスト又はブロードキャストサービスのトラフィック又は制御メッセージの場合、ダウンリンクＳＣＨを介して送信することもでき、又は別途のダウンリンクＭＣＨ（Multicast CHannel）を介して送信することもできる。
【００３９】
端末からネットワークにデータを送信するアップリンクトランスポートチャネルとしては、初期制御メッセージを送信するＲＡＣＨ（Random Access CHannel）と、その他にユーザトラフィックや制御メッセージを送信するアップリンクＳＣＨ（Shared CHannel）とがある。トランスポートチャネルの上位にあり、トランスポートチャネルにマッピングされる論理チャネルとしては、ＢＣＣＨ（Broadcast Control CHannel）、ＰＣＣＨ（Paging Control CHannel）、ＣＣＣＨ（Common Control CHannel）、ＭＣＣＨ（Multicast Control CHannel）、及びＭＴＣＨ（Multicast Traffic CHannel）などがある。
【００４０】
図４は、Ｅ−ＵＭＴＳシステムで使用する物理チャネル構造の一例を示した図である。物理チャネルは、時間軸上にある複数のサブフレームと、周波数軸上にある複数のサブキャリア（Sub-carrier）とで構成される。ここで、一つのサブフレーム（Sub-frame）は、時間軸上の複数のシンボル（Symbol）で構成される。一つのサブフレームは、複数のリソースブロック（Resource Block）で構成され、一つのリソースブロックは、複数のシンボル及び複数のサブキャリアで構成される。また、各サブフレームは、ＰＤＣＣＨ（Physical Downlink Control CHannel）、すなわち、Ｌ１／Ｌ２制御チャネルのために、該当のサブフレームの特定シンボル（例えば、１番目のシンボル）の特定サブキャリアを用いることができる。図４には、Ｌ１／Ｌ２制御情報送信領域（ＰＤＣＣＨ）及びデータ領域（ＰＤＳＣＨ）を示した。一実施例において、１０ｍｓの無線フレーム（radio frame）が使用され、一つの無線フレームは１０個のサブフレーム（subframe）で構成される。また、一つのサブフレームは二つの連続するスロットで構成される。一つのスロットの長さは０．５ｍｓである。また、一つのサブフレームは複数のＯＦＤＭシンボルで構成され、複数のＯＦＤＭシンボルのうち一部のシンボル（例えば、１番目のシンボル）は、Ｌ１／Ｌ２制御情報を送信するために使用することができる。データ送信のための時間単位である送信時間間隔（Transmission Time Interval；ＴＴＩ）は１ｍｓである。
【００４１】
基地局と端末とは、一般に特定制御信号又は特定サービスデータを除いては、トランスポートチャネルであるＤＬ−ＳＣＨを用いる物理チャネルであるＰＤＳＣＨを介してデータを送信／受信する。ＰＤＳＣＨのデータがいずれの端末（一つ又は複数の端末）に送信されるもので、上記各端末がどのようにＰＤＳＣＨデータを受信してデコード（decoding）しなければならないかに関する情報などは、ＰＤＣＣＨに含まれて送信される。
【００４２】
例えば、特定ＰＤＣＣＨが「Ａ」というＲＮＴＩ（Radio Network Temporary Identity）でＣＲＣマスク（masking）されており、「Ｂ」という無線リソース（例えば、周波数位置）及び「Ｃ」という送信形式情報（例えば、送信ブロックサイズ、変調方式、コーディング情報など）を用いて送信されるデータに関する情報が特定サブフレームを通じて送信されると仮定する。この場合、セル内の端末は、自体が有しているＲＮＴＩ情報を用いてＰＤＣＣＨをモニタし、「Ａ」というＲＮＴＩを有している一つ又は複数の端末がある場合、上記各端末はＰＤＣＣＨを受信し、受信したＰＤＣＣＨの情報を通じて「Ｂ」及び「Ｃ」によって指示されるＰＤＳＣＨを受信する。
【００４３】
図５は、本発明の実施例に係る通信装置のブロック図である。
【００４４】
図５に示された装置は、上述したメカニズムを行うように適応したユーザ装置（User Equipment；ＵＥ）及び／又はｅＮＢであってもよいが、同じ作業を行う任意の装置であってもよい。
【００４５】
図５に示したように、装置は、ＤＳＰ（Digital Signal Processor）／マイクロプロセッサ１１０及びＲＦ（Radio Frequency）モジュール（送受信器；１３５）を含むこともできる。ＤＳＰ／マイクロプロセッサ１１０は、送受信器１３５に電気的に接続されて送受信器１３５を制御する。装置は、設計者の選択によって、電力管理モジュール１０５、バッテリ１５５、ディスプレイ１１５、キーパッド１２０、ＳＩＭカード１２５、メモリデバイス１３０、スピーカ１４５及び入力デバイス１５０をさらに含むこともできる。
【００４６】
特に、図５は、ネットワークから要求メッセージを受信するように構成された受信器１３５と、ネットワークに送／受信タイミング情報を送信するように構成された送信器１３５と、を含む端末を示してもよい。このような受信器及び送信器は送受信器１３５を構成できる。端末は、送受信器（受信器及び送信器、１３５）に接続されたプロセッサ１１０をさらに含むこともできる。
【００４７】
また、図５は、端末に要求メッセージを送信するように構成された送信器１３５、及び端末から送受信タイミング情報を受信するように構成された受信器１３５を含むネットワーク装置を示してもよい。送信器及び受信器は送受信器１３５を構成することもできる。ネットワークは、送信器及び受信器に接続されたプロセッサ１１０をさらに含む。このプロセッサ１１０は、送受信タイミング情報に基づいて遅延（latency）を計算することもできる。
【００４８】
図６は、同期非適応型（synchronous non-adaptive）ＵＬ  ＨＡＲＱ動作を例示する概念図である。
【００４９】
図６を参照すると、端末（ＵＥ）は複数のＨＡＲＱプロセスを有し、ＨＡＲＱプロセスは同期方式で動作し得る。すなわち、それぞれのＨＡＲＱプロセスは、同期方式でそれぞれのＴＴＩに割り当てることができる。例えば、ＬＴＥシステムは、ＵＥが８個のＨＡＲＱプロセスを有すると仮定する。結果として、ＨＡＲＱプロセス＃１は第１ＴＴＩに割り当てることができ、ＨＡＲＱプロセス＃２は第２ＴＴＩに割り当てることができ、…、ＨＡＲＱプロセス＃８は第８ＴＴＩに割り当てることができ、ＨＡＲＱプロセス＃１は第９ＴＴＩに割り当てることができ、ＨＡＲＱプロセス＃２は第１０ＴＴＩに割り当てることができる。例えば、ＵＬグラントを含むＰＤＣＣＨが特定ＴＴＩで検出されると、ＨＡＲＱエンティティはデータ送信が行われなければならないＨＡＲＱプロセスを識別することができ、ＵＬグラント情報が識別されたＨＡＲＱプロセスで送信することができる。例えば、図６から分かるように、ＵＬグラントを受信した無線フレーム（ｉ−１）のサブフレーム＃７に関連付けられたＨＡＲＱプロセスが１に設定されると、ＵＬデータは無線フレーム（ｉ）のサブフレーム＃１のＨＡＲＱプロセス＃１で送信することができ、８個のサブフレームの経過後、無線フレーム（ｉ）のサブフレーム＃９のＨＡＲＱプロセス＃１で再送信することができる。同期ＨＡＲＱ動作において、一つのＴＴＩに関連付けられたＨＡＲＱプロセスが識別されると、同一のＨＡＲＱプロセスが対応するＴＴＩ（ＴＴＩ＋８）に関連付けられることを認識することができる。同期ＨＡＲＱ動作の間、所定のＨＡＲＱプロセスが一つのＴＴＩに関連付けられると、そうでないと記述されない限り（unless otherwise mentioned）、同一のＨＡＲＱプロセスが該当のＴＴＩの経過後に第８、第１６及び第２４ＴＴＩに関連付けられると仮定する。
【００５０】
ステップ（Ｓ６０１）において、ＢＳ（又はｅＮＢ）はＵＬグラントをＵＥに送信し、ＵＥは、Ｔｘバッファをフラッシュ（flush）し、Ｔｘバッファに新たなＵＬデータを格納することができる。ステップ（Ｓ６０３）において、ＵＥは、ステップ（Ｓ６０１）で受信したＵＬグラントに応答し、リソース及びＭＣＳ情報に基づいてＨＡＲＱプロセス＃１でＵＬデータをＢＳ（又はｅＮＢ）に送信することができる。この例において、ＢＳ（又はｅＮＢ）によって受信されたＵＬデータがデコーディングに失敗したと仮定し、ＢＳ（又はｅＮＢ）は、ステップ（Ｓ６０５）でＵＬデータに応答してＮＡＣＫメッセージを送信することができる。ＢＳ（又はｅＮＢ）からＮＡＣＫメッセージを受信すると、ＵＥは、ステップ（Ｓ６０７）において以前に送信したＵＬデータを再送信することができる。この場合、再送信は、ステップ（Ｓ６０３）においてＵＬデータ送信が行われたＨＡＲＱプロセス＃１で行うことができ、再送信を８ミリ秒の間隔で行うことができる。すなわち、再送信が行われる時点は別に指定されず、再送信が所定の時間間隔で行われ、この動作は同期ＨＡＲＱ動作に対応し得る。また、ＮＡＣＫメッセージを受信したＵＥは、別のＵＬグラントを受信せず、以前に受信されたＵＬグラントによって指定されたリソース、ＭＣＳレベルなどをそのまま再送信に適用することができる。すなわち、再送信のための新たなスケジューリング情報が与えられず、非適応型ＨＡＲＱ動作に対応し得る。再送信されたＵＬデータを受信したＢＳは、再送信されたＵＬデータを以前に受信されたデータと結合し（組み合わせ）（combine）、結合した結果をデコードしようと試みる。この実施例において、ＢＳがＵＬデータの受信及びデコーディングに成功したと仮定する。この場合、ステップ（Ｓ６０９）において、ＢＳはＡＣＫメッセージをＵＥに送信することができる。図６において、本発明の説明の便宜とより良い理解のために、ＵＥがデータ送信器で、ＢＳがデータ受信器で、ＵＥがＵＥからのＨＡＲＱフィードバック情報を受信するアップリンク（ＵＬ）状況を仮定するが、ＢＳがＤＬデータを送信し、ＵＥがＡＣＫ／ＮＡＣＫ情報をフィードバックする場合にもＨＡＲＱ動作を行うことができる。
【００５１】
ＨＡＲＱ方式は、再送信時間に基づいて同期方式と非同期方式とに分類することができる。同期ＨＡＲＱ方式に従って、初期送信の失敗が発生すると、図６に示すように、システムによって決定された特定時間に後続の再送信を行うことができる。一方、非同期ＨＡＲＱ方式に従うと、再送信時間に関する情報を別にスケジュールすることができる。そのため、ＮＡＣＫ信号に対応するパケットの再送信時間は、チャネル状態などの多様な条件によって変更可能である。
【００５２】
ＬＴＥ（−Ａ）システムにおいて、（ＵＬ  ＨＡＲＱプロセスの場合）、ＵＥがＵＬデータをＢＳに送信する場合、ＢＳは所定の時点でＡＣＫ／ＮＡＣＫ信号を送信することができ、所定の時間間隔で再送信が行われ、この動作は同期ＨＡＲＱ動作に対応し得る。一方、（ＤＬ  ＨＡＲＱプロセスの場合）ＢＳがＤＬデータをＵＥに送信する場合、ＵＥは、非同期ＤＬ  ＨＡＲＱ動作を示すＤＣＩに含まれる情報に基づいてＡＣＫ／ＮＡＣＫ信号を送信することができる。
【００５３】
制御情報のフォーマットに関してＰＤＣＣＨ上で送信される制御情報は、ＤＣＩという。ＰＤＣＣＨペイロードで運ばれる情報の構成は、ＤＣＩフォーマットによって変更可能である。ＰＤＣＣＨペイロードは情報ビットである。表１は、ＤＣＩフォーマットによるＤＣＩを列挙する。
【００５４】
【表１】
2017505017.tif 000003
【００５５】
表１を参照すると、ＤＣＩフォーマットは、ＰＵＳＣＨスケジューリングのためのフォーマット０、単一コードワードＰＤＳＣＨスケジューリングのためのフォーマット１、コンパクトな単一コードワードＰＤＳＣＨスケジューリングのためのフォーマット１Ａ、非常にコンパクトなＤＬ−ＳＣＨスケジューリングのためのフォーマット１Ｃ、閉ループ空間マルチプレキシングモードにおけるＰＤＳＣＨスケジューリングのためのフォーマット２、開ループ空間マルチプレキシングモードにおけるＰＤＳＣＨスケジューリングのためのフォーマット２Ａ、アップリンクチャネルに対する送信電力制御（ＴＰＣ）命令の送信のためのフォーマット３／３Ａを含む。ＤＣＩフォーマット１Ａは、ＵＥの送信モードとは関係なく、ＰＤＳＣＨスケジューリングのために利用可能である。
【００５６】
特に、一つのＰＤＳＣＨのスケジューリングに使用されるＤＣＩフォーマット１は次の情報を含む。表２は、ＤＣＩフォーマット１に含まれる情報を列挙する。
【００５７】
【表２】
2017505017.tif 000004
【００５８】
表２を参照すると、ＤＬ  ＨＡＲＱプロセスの場合、フォーマット１を通じて送信されたＤＣＩはＨＡＲＱプロセス番号を明示的に示す。非同期ＨＡＲＱ方式に従って、ＡＣＫ／ＮＡＣＫ信号の送信及びＮＡＣＫ信号に対応するパケットの再送信時間は、ＨＡＲＱプロセス番号に関する情報によって設定される。
【００５９】
図７は、ＨＡＲＱ動作におけるＴＴＩバンドリングに関する図である。
【００６０】
ＵＥがセルの良好でない（bad）カバレッジ内にある場合、ＵＥが電力の観点で制限されるので、ＵＥは送信電力を増加させることができない。よって、ＵＥがセルエッジに近接してＶｏＩＰなどのリアルタイム（real time）サービスを利用している場合、アップリンクカバレッジを向上させる方法が存在しなければならない。
【００６１】
アップリンクカバレッジを向上させる方法の一つは、ＨＡＲＱプロセスにおけるＴＴＩバンドリングである。ＴＴＩバンドリングは、セルエッジ又は劣悪（貧弱）な無線条件（poor radio conditions）でカバレッジを改善するＬＴＥの特徴（仕様）（feature）である。ＵＥは、アップリンクで制限された電力を有し（ＬＴＥで２３ｄＢｍ）、これは、セルエッジ（劣悪な無線）で多くの再送信をもたらし得る。再送信は、ＶｏＩＰなどの所定のサービスには受け入れることが（not be acceptable）できない遅延及び制御プレーンオーバーヘッドを意味する。ＴＴＩバンドリングを理解するために、ＨＡＲＱ及び送信時間間隔（ＴＴＩ）の基本的な考え方（basic idea）を知る必要がある。
【００６２】
ＨＡＲＱプロセスは既に記述しており、ＴＴＩは、ｅＮＢがアップリンク又はダウンリンク送信のために任意のユーザをスケジュールできる最も小さいＬＴＥ時間単位である。ユーザがダウンリンクデータを受信している場合、各１ｍｓの間、ｅＮＢはリソースを割り当て、ユーザにＰＤＣＣＨチャネルを介して自体のダウンリンクデータを探す場所を知らせる。ＴＴＩの概念を理解するためには、次の図面（figure）を確認すればよい。
【００６３】
アップリンクが設定されたそれぞれのサービングセルに対してＵＥに一つのＨＡＲＱエンティティが存在し、このＨＡＲＱエンティティが並行する複数のＨＡＲＱプロセスを維持することによって、以前の送信に対する受信が成功したか否かに関するＨＡＲＱフィードバックを待ちながら送信を継続して行うことができる（There is one HARQ entity at the UE for each Serving Cell with configured uplink, which maintains a number of parallel HARQ processes allowing transmissions to take place continuously while waiting for the HARQ feedback on the successful or unsuccessful reception of previous transmissions）。物理層がアップリンク空間マルチプレキシングのために構成される場合、所与のＴＴＩに関連付けられた２個のＨＡＲＱプロセスが存在する。そうでない場合、所与のＴＴＩに関連付けられた一つのＨＡＲＱプロセスが存在する。
【００６４】
所与のＴＴＩにおいて、このＴＴＩに対してアップリンクグラントが指示されると、ＨＡＲＱエンティティは、送信が発生しなければならないＨＡＲＱプロセスを識別する。また、物理層によってリレーされて受信したＨＡＲＱフィードバック（ＡＣＫ／ＮＡＣＫ情報）、ＭＣＳ及びリソースを適切なＨＡＲＱプロセスにルーティングする。
【００６５】
図７に関して、ＴＴＩバンドリングが構成されると、パラメータ（ＴＴＩ＿ＢＵＮＤＬＥ＿ＳＩＺＥ）はＴＴＩバンドルのＴＴＩの数を提供する。ＴＴＩバンドリング動作は、同一のバンドルの一部である各送信のための同一のＨＡＲＱプロセスを起動する（invoke）ＨＡＲＱエンティティに依存する。バンドル内で、ＨＡＲＱ再送信は非適応的であり、ＴＴＩ＿ＢＵＮＤＬＥ＿ＳＩＺＥによって以前の送信からのフィードバックを待たずにトリガされる（７１０）。バンドルのＨＡＲＱフィードバックは、（例えば、測定ギャップが発生するとき）、そのＴＴＩで送信が発生するか否かとは関係なく、バンドルの最後のＴＴＩ（すなわち、ＴＴＩ＿ＢＵＮＤＬＥ＿ＳＩＺＥに対応するＴＴＩ）の間だけバンドルのＨＡＲＱフィードバックが受信される（Ｓ７０３）。
【００６６】
ＴＴＩバンドリング手続は、ＲＲＣＣｏｎｎｅｃｔｉｏｎＲｅｃｏｎｆｉｇｕｒａｔｉｏｎメッセージを通じて構成される。
【００６７】
ＲＲＣＣｏｎｎｅｃｔｉｏｎＲｅｃｏｎｆｉｇｕｒａｔｉｏｎメッセージは、ＲＲＣ接続を変更することを指示する命令であって、測定設定（measurement configuration）、モビリティ制御、任意の関連付けられた専用ＮＡＳ情報及びセキュリティ設定を含む（ＲＢ、ＭＡＣメイン設定及び物理チャネル設定を含む）無線リソース設定のための情報を伝達することができる。ＲＲＣＣｏｎｎｅｃｔｉｏｎＲｅｃｏｎｆｉｇｕｒａｔｉｏｎメッセージが送信されるシグナリング無線ベアラはＳＲＢ１で、論理チャネルはＤＣＣＨで、ＲＲＣＣｏｎｎｅｃｔｉｏｎＲｅｃｏｎｆｉｇｕｒａｔｉｏｎメッセージが送信される方向はＥ−ＵＴＲＡＮからＵＥへである。
【００６８】
ＲＲＣＣｏｎｎｅｃｔｉｏｎＲｅｃｏｎｆｉｇｕｒａｔｉｏｎメッセージは、次のような情報を含む。
【００６９】
【数１】
2017505017.tif 000005
【００７０】
ＲａｄｉｏＲｅｓｏｕｒｃｅＣｏｎｆｉｇＤｅｄｉｃａｔｅｄの情報がＲＲＣＣｏｎｎｅｃｔｉｏｎＲｅｃｏｎｆｉｇｕｒａｔｉｏｎメッセージに含まれる。ＲａｄｉｏＲｅｓｏｕｒｃｅＣｏｎｆｉｇＤｅｄｉｃａｔｅｄは、ＲＢをセットアップ／変更／解放（リリース）し（release）、ＭＡＣメイン設定を変更し、ＳＰＳ設定を変更し、専用物理設定を変更するのに使用される。
【００７１】
ＲａｄｉｏＲｅｓｏｕｒｃｅＣｏｎｆｉｇＤｅｄｉｃａｔｅｄ情報は、次のような要素を含む。
【００７２】
【数２】
2017505017.tif 000006
【００７３】
とりわけ、ｍａｃ−ＭａｉｎＣｏｎｆｉｇの情報がＲａｄｉｏＲｅｓｏｕｒｃｅＣｏｎｆｉｇＤｅｄｉｃａｔｅｄ情報要素に含まれる。ｍａｃ−ＭａｉｎＣｏｎｆｉｇは、シグナリング及びデータ無線ベアラのためのＭＡＣメイン設定を特定するのに使用される。
【００７４】
ｍａｃ−ＭａｉｎＣｏｎｆｉｇ情報は、次のような要素を含む。
【００７５】
【数３】
2017505017.tif 000007
【００７６】
結論として、ｔｔｉＢｕｎｄｌｉｎｇの情報がｍａｃ−ＭａｉｎＣｏｎｆｉｇ情報要素に含まれる。「Ｔｕｒｅ（Ｔｒｕｅ）」の指示は、ＴＴＩバンドリングが動作可能であることを示す。「ＦＡＬＳＥ」の指示は、ＴＴＩバンドリングが動作不能であることを意味する。ＴＴＩバンドリングは、設定０、１及び６に対してのみＦＤＤ及びＴＤＤに対して動作可能である。ＴＤＤに対して、Ｅ−ＵＴＲＡＮは、この仕様のリリースでＴＴＩバンドリングとセミパーシステント（半永久的な）スケジューリング（semi-persistent scheduling）とを同時に行うことができない。また、Ｅ−ＵＴＲＡＮは、ＴＴＩバンドリングとアップリンクが設定されたＳＣｅｌｌとを同時に設定しない。
【００７７】
図８は、キャリアアグリゲーション（carrier aggregation）に関する図である。
【００７８】
複数のキャリアをサポートするキャリアアグリゲーション技術は、次のように図８を参照して説明する。上述したように、キャリアアグリゲーションにより、レガシ無線通信システム（例えば、ＬＴＥシステム）で定義された帯域幅単位（例えば、２０ＭＨｚ）の最大５個のキャリア（コンポーネントキャリア（ＣＣ））をバンドルする方式でシステム帯域幅を最大１００ＭＨｚまでサポートすることができる。キャリアアグリゲーションに使用されるコンポーネントキャリアは、帯域幅サイズにおいて互いに同一であるか異なり得る。コンポーネントキャリアのそれぞれは、異なる周波数帯域（又は中心周波数）を有することができる。コンポーネントキャリアは、連続的な周波数帯域上に存在し得る。非連続的な周波数帯域上に存在するコンポーネントキャリアは、キャリアアグリゲーションに使用することができる。キャリアアグリゲーション技術において、アップリンク及びダウンリンクの帯域幅サイズを対称的に又は非対称的に割り当てることができる。
【００７９】
キャリアアグリゲーションに使用される複数のキャリア（コンポーネントキャリア）は、ＰＣＣ（Primary Component Carrier）とＳＣＣ（Secondary Component Carrier）とに分類することができる。ＰＣＣはＰセル（プライマリセル）といい、ＳＣＣはＳセル（セカンダリセル）という。プライマリコンポーネントキャリアは、端末とトラフィック及び制御シグナリングを交換するために基地局によって使用されるキャリアである。この場合、制御シグナリングは、コンポーネントキャリアの追加、プライマリコンポーネントキャリアに関する設定、アップリンク（ＵＬ）グラント、ダウンリンク（ＤＬ）割り当てなどを含むことができる。基地局が複数のコンポーネントキャリアを使用できるとしても、該当の基地局に属する端末は、一つのプライマリコンポーネントキャリアのみを有するように設定することができる。端末が単一キャリアモードで動作する場合、プライマリコンポーネントキャリアが使用される。そのため、独立して使用されるように、プライマリコンポーネントキャリアは、基地局と端末との間のデータ及び制御シグナリング交換のための全ての要求事項を満たすように設定されなければならない。
【００８０】
一方、セカンダリコンポーネントキャリアは、送受信されるデータの要求されるサイズによって活性化又は非活性化できる追加のコンポーネントキャリアを含むことができる。セカンダリコンポーネントキャリアは、基地局から受信した特定命令及び規則に従って使用されるように設定することができる。追加の帯域幅をサポートするために、セカンダリコンポーネントキャリアは、プライマリコンポーネントキャリアと共に使用されるように設定することができる。活性化されたコンポーネントキャリアを通じて、ＵＬグラント、ＤＬ割り当てなどの制御信号を基地局から端末が受信することができる。活性化されたコンポーネントキャリアを通じて、ＣＱＩ（Channel Quality Indicator）、ＰＭＩ（Precoding Matrix Index）、ＲＩ（Rank Indicator）、ＳＲＳ（Sounding Reference Signal）などのＵＬ制御信号を端末から基地局に送信することができる。
【００８１】
端末へのリソース割り当ては、プライマリコンポーネントキャリア及び複数のセカンダリコンポーネントキャリアの範囲を有することができる。マルチキャリアアグリゲーションモードにおいて、システムロード（すなわち、静的／動的ロードバランス（static/dynamic load balancing））、ピークデータレート又はサービス品質要求事項に基づいて、システムは、セカンダリコンポーネントキャリアをＤＬ及び／又はＵＬに非対称的に割り当てることができる。キャリアアグリゲーション技術の使用において、コンポーネントキャリアの設定は、ＲＲＣ接続手続後、基地局によって端末に提供することができる。この場合、ＲＲＣ接続は、ＳＲＢを通じてネットワークと端末のＲＲＣ層との間で交換されたＲＲＣシグナリングに基づいて無線リソースが端末に割り当てられることを意味し得る。端末と基地局との間のＲＲＣ接続手続の完了後、基地局によってプライマリコンポーネントキャリア及びセカンダリコンポーネントキャリアに関する設定情報を端末に提供することができる。セカンダリコンポーネントキャリアに関する設定情報は、セカンダリコンポーネントキャリアの追加／削除（又は活性化／非活性化）を含むことができる。そのため、基地局と端末との間のセカンダリコンポーネントキャリアを活性化したり、以前のセカンダリコンポーネントキャリアを非活性化するために、ＲＲＣシグナリング及びＭＡＣ制御要素の交換を行う必要がある。
【００８２】
セカンダリコンポーネントキャリアの活性化又は非活性化は、ＱｏＳ（Quality of Service）、キャリアの負荷（ロード）条件（load condition）及び他の因子に基づいて基地局によって決定される。基地局は、ＤＬ／ＵＬのための指示タイプ（類型）（type）（活性化／非活性）、セカンダリコンポーネントキャリアリストなどの情報を含む制御メッセージを用いて、セカンダリコンポーネントキャリアを設定するように端末に命令することができる。
【００８３】
上述したように、ＲＲＣＣｏｎｎｅｃｔｉｏｎＲｅｃｏｎｆｉｇｕｒａｔｉｏｎメッセージは、ＲＲＣ接続を変更するのに使用される。ＵＥが一つ又は複数のＳｃｅｌｌを追加又は変更しなければならない場合、ＲＲＣＣｏｎｎｅｃｔｉｏｎＲｅｃｏｎｆｉｇｕｒａｔｉｏｎメッセージが使用される。
【００８４】
ＲＲＣＣｏｎｎｅｃｔｉｏｎＲｅｃｏｎｆｉｇｕｒａｔｉｏｎメッセージは、次のような情報をさらに含む。
【００８５】
【数４】
2017505017.tif 000008
【００８６】
ＵＥは、現在のＵＥ設定の一部でないｓＣｅｌｌＴｏＡｄｄＭｏｄＬｉｓｔ内に含まれるそれぞれのｓＣｅｌｌＩｎｄｅｘ値に対して受信したｒａｄｉｏＲｅｓｏｕｒｃｅＣｏｎｆｉｇＣｏｍｍｏｎＳＣｅｌｌ及びｒａｄｉｏＲｅｓｏｕｒｃｅＣｏｎｆｉｇＤｅｄｉｃａｔｅｄＳＣｅｌｌによってｃｅｌｌＩｄｅｎｔｉｆｉｃａｔｉｏｎに対応するＳＣｅｌｌを追加することができる（ＳＣｅｌｌ追加）。そして、ＵＥは下位層を設定し、ＳＣｅｌｌが非活性化状態にあると見なすことができる。
【００８７】
ＵＥは、現在のＵＥ設定の一部であるｓＣｅｌｌＴｏＡｄｄＭｏｄＬｉｓｔ内に含まれるそれぞれのｓＣｅｌｌＩｎｄｅｘ値に対して受信したｒａｄｉｏＲｅｓｏｕｒｃｅＣｏｎｆｉｇＤｅｄｉｃａｔｅｄＳＣｅｌｌによってＳＣｅｌｌ設定を変更することができる（ＳＣｅｌｌ変更）。
【００８８】
図９は、ＲＲＣ接続再設定動作に関する図である。
【００８９】
ＵＥがＲＲＣＣｏｎｎｅｃｔｉｏｎＲｅｃｏｎｆｉｇｕｒａｔｉｏｎメッセージを受信し、Ｅ−ＵＴＲＡＮからのＲＲＣ接続を変更すると（Ｓ９０１）、ＵＥは、ＵＥがＲＲＣＣｏｎｎｅｃｔｉｏｎＲｅｃｏｎｆｉｇｕｒａｔｉｏｎメッセージに含まれる設定に適合できる（comply with）か否かを決定する（Ｓ９０３）。ＵＥがＲＲＣＣｏｎｎｅｃｔｉｏｎＲｅｃｏｎｆｉｇｕｒａｔｉｏｎメッセージに含まれる設定に適合できる場合、ＵＥは、ＲＲＣＣｏｎｎｅｃｔｉｏｎＲｅｃｏｎｆｉｇｕｒａｔｉｏｎメッセージが有効であると見なし、ＵＥは、ＲＲＣＣｏｎｎｅｃｔｉｏｎＲｅｃｏｎｆｉｇｕｒａｔｉｏｎメッセージに含まれた設定で設定される（Ｓ９０５）。
【００９０】
ＵＥがＲＲＣＣｏｎｎｅｃｔｉｏｎＲｅｃｏｎｆｉｇｕｒａｔｉｏｎメッセージに含まれる設定に適合できない場合、ＵＥは、ＲＲＣＣｏｎｎｅｃｔｉｏｎＲｅｃｏｎｆｉｇｕｒａｔｉｏｎメッセージの受信前に使用された設定を継続して用いる。セキュリティが活性化されない場合、他の解放の原因で（with release cause other）ＲＲＣ＿ＣＯＮＮＥＣＴＥＤを離れるときの動作を行う（Ｓ９０９）。又は、ＵＥは、接続再設定手続が終了する接続再確立手続を開始する（Ｓ９１１）。
【００９１】
ＵＥは、ＡＳセキュリティが活性化されているときにのみ手続を開始する。ＵＥは、次の条件、すなわち、ｉ）無線リンク検出に失敗（不良）（failure）したとき、ｉｉ）ハンドオーバに失敗したとき、ｉｉｉ）Ｅ−ＵＴＲＡからのモビリティに失敗したとき、ｉｖ）下位層から完全性チェックの失敗を指示されたとき、及びｖ）ＲＲＣ接続再設定に失敗したときのうちいずれか一つを満たすときに手続を開始する。
【００９２】
図１０は、マスターセルグループ（Master Cell Group；ＭＣＳ）とセカンダリセルグループ（Secondary Cell Group；ＳＣＧ）との間のデュアル接続に関する概念図である。
【００９３】
デュアル接続は、ＵＥがＭｅＮＢ（Master e Node-B）及びＳｅＮＢ（Secondary eNode-B）に同時に接続できることを意味する。ＭＣＧは、ＭｅＮＢに関連付けられたサービングセルのグループであり、ＰＣｅｌｌ及びオプションの（任意選択の）（optionally）一つ又は複数のＳＣｅｌｌで構成される。ＳＣＧは、ＳｅＮＢに関連付けられたサービングセルのグループであり、スペシャル（特殊）（special）ＳＣｅｌｌ及びオプションの一つ又は複数のＳＣｅｌｌで構成される。ＭｅＮＢは、少なくともＳ１−ＭＭＥ（制御プレーンのためのＳ１）の終端となる（で終了する）ｅＮＢであり（The MeNB is an eNB which terminates at least Sl-MME (SI for the control plane)）、ＳｅＮＢは、ＵＥに追加の無線リソースを提供するが、ＭｅＮＢではないｅＮＢである。
【００９４】
デュアル接続は、ＵＥに複数のサービングセルが設定されるキャリアアグリゲーションの一種である。しかし、図８のキャリアアグリゲーションをサポートする全てのサービングセルが、同一のｅＮＢによってサービスを提供（サーブ）される（served）場合とは違い、図１０のデュアル接続をサポートする全てのサービングセルは、同時にそれぞれ異なるｅＮＢによってサービスを提供される。ＵＥが同時に異なるｅＮＢと接続するので、異なるｅＮＢは非理想的バックホールインタフェースを介して接続される。
【００９５】
デュアル接続によって、データ無線ベアラ（ＤＲＢ）の一部はＳＣＧにオフロード（offload）され、ＭＣＧにおいてスケジューリング無線ベアラ（ＳＲＢ）又は他のＤＲＢを維持し、ハンドオーバの可能性を減少させながら高いスループットを提供することができる。ＭＣＧは、ｆ１の周波数を通じてＭｅＮＢによって動作し、ＳＣＧは、ｆ２の周波数を通じてＳｅＮＢによって動作する。周波数（ｆ１及びｆ２）は同一であり得る。ＭｅＮＢとＳｅＮＢとの間のバックホールインタフェース（ＢＨ）は非理想的（例えば、Ｘ２インタフェース）であり、これは、バックホールに相当な遅延があるため、一つのノードに集中した（centralized）スケジューリングが可能でないことを意味する。
【００９６】
図１１Ａは、所定のＵＥに対するデュアル接続に関わる（involved in）ｅＮＢのＣプレーン（Control Plane）接続に関する概念図である。ＭｅＮＢは、Ｓ１−ＭＭＥを介してＭＭＥに接続されたＣプレーンであり、ＭｅＮＢ及びＳｅＮＢはＸ２−Ｃ（Ｘ２−制御プレーン）を通じて相互接続される。図１１Ａに示したように、デュアル接続のためのｅＮＢ間の制御プレーンシグナリングは、Ｘ２インタフェースシグナリングによって行われる。ＭＭＥに向かう制御プレーンシグナリングは、Ｓ１インタフェースシグナリングによって行われる。ＭｅＮＢとＭＭＥとの間には、ＵＥごとに一つのＳ１−ＭＭＥ接続が存在する。それぞれのｅＮＢは、独立してＵＥを扱え（ハンドルでき）（handle）なければならない、すなわち、一部のＵＥにＰＣｅｌｌを提供しながら他のＵＥにＳＣＧのためのＳＣｅｌｌを提供しなければならない。所定のＵＥに対するデュアル接続に関わるそれぞれのｅＮＢは、自体の無線リソースを所有し、基本的にそのセルの無線リソース割り当てに対する責任を有し、ＭｅＮＢとＳｅＮＢとの間のそれぞれの調整（coordination）がＸ２インタフェースシグナリングによって行われる。
【００９７】
図１１Ｂは、所定のＵＥに対するデュアル接続に関わるｅＮＢのＵプレーン（User Plane）接続に関する概念図である。Ｕプレーン接続は、設定されたベアラオプション、すなわち、ｉ）ＭＣＧベアラに対して、ＭｅＮＢはＳ１−Ｕを介してＳ−ＧＷに接続されたＵプレーンであり、ＳｅＮＢはユーザプレーンデータの送信に関わっておらず、ｉｉ）スプリット（split）ベアラに対して、ＭｅＮＢはＳ１−Ｕを介してＳ−ＧＷに接続されたＵプレーンであり、ＭｅＮＢ及びＳｅＮＢはＸ２−Ｕを介して相互接続され、ｉｉｉ）ＳＣＧベアラに対して、ＳｅＮＢがＳ１−Ｕを介してＳ−ＧＷに直接接続されることに依存する。ＭＣＧ及びスプリットベアラのみが設定されると、ＳｅＮＢにはＳ１−Ｕの終端（termination）がない。デュアル接続において、マクロセルのグループからスモールセルのグループへのデータオフロードのためにスモールセルの拡張（向上）（enhancement）が要求される。スモールセルはマクロセルから離れて（apart from）配置できるので、複数のスケジューラが異なるノードに個別的に位置し、ＵＥの観点で独立して動作し得る。これは、異なるスケジューリングノードが異なる無線リソース環境に遭遇する（encounter）ことができることを意味し、そのため、それぞれのスケジューリングノードは異なるスケジューリングの結果を有することができる。
【００９８】
図１２は、デュアル接続のための無線プロトコルアーキテクチャに関する概念図である。
【００９９】
本実施例のＥ−ＵＴＲＡＮは、デュアル接続動作をサポートし、ＲＲＣ＿ＣＯＮＮＥＣＴＥＤにおける複数の受信／送信（ＲＸ／ＴＸ）ＵＥ）が、Ｘ２インタフェースを介して非理想的バックホールを通じて接続された２個のｅＮＢ（又は基地局）に位置する２個の個別のスケジューラによって提供された無線リソースを利用するように構成される。所定のＵＥに対するデュアル接続に関わるｅＮＢは２個の異なる役割を想定できるが、ｅＮＢはＭｅＮＢ又はＳｅＮＢとして動作し得る。デュアル接続において、ＵＥは、一つのＭｅＮＢ及び一つのＳｅＮＢに接続できる。
【０１００】
デュアル接続動作において、特定ベアラが使用する無線プロトコルアーキテクチャは、ベアラをどのようにセットアップするかに依存する。３個の代案、すなわち、ＭＣＧベアラ１２０１、スプリットベアラ１２０３及びＳＣＧベアラ１２０５が存在する。これらの３個の代案は、図１２に示される。ＳＲＢ（Signaling Radio Bearer）は常にＭＣＧベアラであり、そのため、ＭｅＮＢによって提供された無線リソースのみを使用する。ＭＣＧベアラ１２０１は、ＭｅＮＢにのみ位置し、デュアル接続でのみＭｅＮＢリソースを使用する無線プロトコルである。ＳＣＧベアラ１２０５は、ＳｅＮＢにのみ位置し、デュアル接続でＳｅＮＢリソースを使用する無線プロトコルである。
【０１０１】
特に、スプリットベアラ１２０３は、ＭｅＮＢ及びＳｅＮＢの両方に位置し、デュアル接続でＭｅＮＢ及びＳｅＮＢリソースを利用する無線プロトコルであり、スプリットベアラ１２０３は、一方向に対して一つのＰＤＣＰ（Packet Data Convergence Protocol）エンティティ、２個のＲＬＣ（Radio Link Control）エンティティ及び２個のＭＡＣ（Medium Acess Control）エンティティを含む無線ベアラであり得る。特に、デュアル接続動作は、ＳｅＮＢによって提供された無線リソースを利用するように構成された少なくとも一つのベアラを有すると記載することができる。
【０１０２】
デュアル接続において、２個のＭＡＣエンティティ、すなわち、ＭＣＧのためのエンティティ及びＳＣＧのためのエンティティがＵＥに設定される。それぞれのＭＡＣエンティティはＲＲＣによって設定され、サービングセルは、ＰＵＣＣＨ送信及びコンテンションベース（競争基盤）のランダムアクセス（contention based random access）をサポートする。「ＳｐＣｅｌｌ」という用語はこのようなセルを称し、「ＳＣｅｌｌ」という用語は他のサービングセルを称する。「ＳｐＣｅｌｌ」という用語は、ＭＡＣエンティティがＭＣＧに関連付けられるか又はＳＣＧに関連付けられるかによって、それぞれ、ＭＣＧのＰＣｅｌｌ又はＳＣＧのＰＣｅｌｌを称する。ＭＡＣエンティティのＳｐＣｅｌｌを含むタイミングアドバンスグループ（Timing Advance Group）はｐＴＡＧというが、「ｓＴＡＧ」という用語は他のＴＡＧを称する。
【０１０３】
ＵＥ内の異なるＭＡＣエンティティの機能は、そうでないと（異なる形で）指示されない限り（if not otherwise indicated）、独立して動作する。それぞれのＭＡＣエンティティで使用されるタイマ及びパラメータは、そうでないと指示されない限り、独立して設定される。それぞれのＭＡＣエンティティによって考慮されるサービングセル、Ｃ−ＲＮＴＩ、無線ベアラ、論理チャネル、上位及び下位層エンティティ、ＬＣＧ及びＨＡＲＱエンティティは、そうでないと指示されない限り、そのＭＡＣエンティティにマッピングされたものを称する。
【０１０４】
上述したＴＴＩバンドリングは、制限されたアップリンク送信電力を有するＵＥ、すなわち、主にセルのエッジに近接したＵＥのために（for the UE near to the edge of a cell）アップリンクカバレッジを増加させるためのものである。キャリアアグリゲーション（ＣＡ）は、ＵＥ、すなわち、一般に、セルの良好なカバレッジ内のＵＥによってスループットを増加させるためのものである。よって、ＴＴＩバンドリング及びＣＡは同時に使用される可能性がない。また、ＴＴＩバンドリングが複数のセルのためにサポートされる場合、ＳＣｅｌｌが動的に活性化／非活性化されるので、ＨＡＲＱ動作は複雑になる。そのため、現在のＭＡＣ仕様において、ＵＥが、アップリンクが設定された一つ又は複数のＳＣｅｌｌで設定される場合、ＴＴＩバンドリングはサポートされない。
【０１０５】
しかし、デュアルモードにおいて、ＵＥが２個の異なるｅＮＢに接続されるので、ＵＥは、一つのセル、例えば、ＳＣＧ  ＳＣｅｌｌの良好なカバレッジ内にあり、他のセル、例えば、ＭＣＧ  ＰＣｅｌｌのエッジにあり得る。そうすると、ＵＥは、ＭｅＮＢからの劣悪なサービス品質を経験し得る。現在のＭＡＣ仕様が単にデュアル接続に拡張されると、ＳＣＧ  ＳＣｅｌｌがＳＣｅｌｌであるので、ＴＴＩバンドリングはデュアル接続でサポートされない。
【０１０６】
ＴＴＩバンドリングをサポートせず、一つのセルのアップリンクカバレッジを増加させるために、ＵＥは、対応するｅＮＢへのデータ送信のための送信電力を増加できるが、ＵＥが制限された電力で複数のセルと通信しなければならないので、このアプローチは、デュアル接続のＵＥにとって好ましくないか、不可能である。代案として、ＭＡＣ層におけるＨＡＲＱ再送信又はＲＬＣ層における再セグメンテーション（re-segmentation）を使用できるが、遅延のため、リアルタイムサービスに対しては好ましくない場合がある。
【０１０７】
そのため、デュアル接続のＵＥが一つのｅＮＢの良好でないカバレッジに入り込み、ｅＮＢからのリアルタイムサービスを望む場合、ｅＮＢ下のセルのアップリンクカバレッジを増加させるためにｅＮＢに向かってＴＴＩバンドリングがサポートされる必要がある。従来、ＵＥが一つ又は複数のＳＣｅｌｌで設定される場合、ＵＥが一つのセルに対してＴＴＩバンドリングを用いるメカニズムはない。
【０１０８】
図１３は、本発明の一実施例に係る複数のキャリアを有する端末がＴＴＩバンドリングを設定する方法に関する概念図である。
【０１０９】
この発明によると、端末にアップリンクが設定された一つ又は複数のセルが設定された場合、端末は、一つの基地局に属するアップリンクが設定されたセルが一つのみである限り、対応する基地局に対するＴＴＩバンドリング設定を維持することができる（the UE can support TTI bundling for a base station (BS) as long as there is only one cell with configured uplink belonging to the BS）ことを提案する。
【０１１０】
端末が第１基地局に接続されている（Ｓ１３０１）。このとき、端末は、第１基地局に属するアップリンクが設定された第１セルで設定される。端末は、第１基地局又は第１セルに対して動作可能にされる（イネーブルされる）（enabled for）ＴＴＩバンドリングで設定される（Ｓ１３０３）。この場合、端末は、第１基地局に対して又は第１セルを用いてＴＴＩバンドリングを行うことができる。
【０１１１】
好ましくは、第１セルはＰＣｅｌｌ又はＳＣｅｌｌになり得る。デュアル接続の状況で、第１基地局はＭｅＮＢに、第２基地局はＳｅＮＢになり、一方、第１基地局がＳｅＮＢに、第２基地局はＭｅＮＢになり得る。
【０１１２】
端末は、第２基地局に属するアップリンクが設定された第２セルを設定することを指示するメッセージを受信する（Ｓ１３０５）。
【０１１３】
好ましくは、第２セルはＳＣｅｌｌになり得る。
【０１１４】
好ましくは、このメッセージは、ＲＲＣ接続再設定（再構成）（ＲＲＣＣｏｎｎｅｃｔｉｏｎＲｅｃｏｎｆｉｇｕｒａｔｉｏｎ）メッセージである。ＲＲＣ接続再設定メッセージは、ＲＲＣ接続を修正するための要求メッセージであって、測定構成情報、モビリティ制御情報、関連する専用ＮＡＳ情報、セキュリティ構成情報を含む無線リソース構成情報（無線ベアラ、ＭＡＣ構成情報、物理層構成情報を含む）を運ぶ。ＲＲＣ接続再設定メッセージを送信するシグナリング無線ベアラはＳＲＢ１であり、論理チャネルとしてはＤＣＣＨを使用し、送信方向はＥ−ＵＴＲＡＮから端末へである。
【０１１５】
好ましくは、このメッセージは、新たに設定しようとするセル識別子（ＩＤ）、設定されるセルが属する基地局識別子（ＩＤ）を含むことができる。
【０１１６】
端末が第１基地局に属するアップリンクが設定された第１セルで設定され、第１セルにＴＴＩバンドリングが設定されている場合、端末が、第２基地局に属するアップリンクが設定された第２セルを設定することを指示するメッセージを受信したとき、端末は、第１基地局と第２基地局とが同一の基地局であるか否かを判断する（Ｓ１３０７）。
【０１１７】
このとき、第１基地局と第２基地局とが異なる場合、端末は、Ｓ１３０５で受信したメッセージを有効なものと見なし、ＵＥは、第２基地局に関する第２セルを設定し、第１基地局に対するＴＴＩバンドリングの使用を維持する（The UE configures the second cell for the second BS and the UE keeps using TTI bundling for the first BS）（Ｓ１３０９）。
【０１１８】
一方、第１基地局と第２基地局とが同一である場合、二つの場合が可能である。まず、Ｓ１３０５で受信したメッセージを無効なものと見なす場合、端末はＲＲＣ接続再設定（再構成）（復旧）手続（RRC Connection Reconfiguration procedure）を開始し、端末は、第１基地局にＲＲＣ接続設定の失敗を知らせる（Ｓ１３１１）。すなわち、端末がＲＲＣ接続再設定メッセージに含まれた構成に適合できない場合、端末は接続再設定手続の終了時点で接続再確立（復旧）手続を開始するからである（Because, if the UE is not able to comply with configuration included in the RRCConnectionReconfiguration message, the UE initiate the connection re-establishment procedure upon which the connection reconfiguration procedure ends）。
【０１１９】
他の場合として、Ｓ１３０５で受信したメッセージを有効なものと見なす場合、端末は、第１基地局に対して第２セルを新たに設定する。また、端末は、自動的に第１基地局に対するＴＴＩバンドリングを動作不能にする（ディセーブル）（disables）。また、端末は、第１基地局にＴＴＩバンドリングを動作不能にしたこと（disabling TTI bundling）を知らせる（Ｓ１３１３）。
【０１２０】
図１４は、本発明の一実施例に係る複数のキャリアを有する端末がＴＴＩバンドリングを設定する方法に関する概念図である。
【０１２１】
本発明は、端末が第１基地局と第２基地局とに同時に接続された状態を前提とする（Ｓ１４０１）。もちろん、第１基地局と第２基地局とは互いに同一であってもよく、異なってもよい。
【０１２２】
端末は、第１基地局に属するアップリンクが設定された第１セルと、第２基地局に属するアップリンクが設定された第２セルとを全て設定（構成）する（configure）（Ｓ１４０３）。
【０１２３】
好ましくは、第１セルはＰＣｅｌｌ又はＳＣｅｌｌであり、第２セルはＳＣｅｌｌであり得る。デュアル接続の状況において、第１基地局はＭｅＮＢに、第２基地局はＳｅＮＢになり、一方、第１基地局がＳｅＮＢに、第２基地局はＭｅＮＢになり得る。
【０１２４】
端末は、基地局から第１セルに対してＴＴＩバンドリングを設定することを指示するメッセージを受信する（Ｓ１４０５）。
【０１２５】
好ましくは、このメッセージは、ＲＲＣ接続再設定（ＲＲＣＣｏｎｎｅｃｔｉｏｎＲｅｃｏｎｆｉｇｕｒａｔｉｏｎ）メッセージである。ＲＲＣ接続再設定メッセージは、ＲＲＣ接続を修正するための要求メッセージであって、測定構成情報、モビリティ制御情報、関連する専用ＮＡＳ情報、セキュリティ構成情報を含む無線リソース構成情報（無線ベアラ、ＭＡＣ構成情報、物理層構成情報を含む）を運ぶ。ＲＲＣ接続再設定メッセージを送信するシグナリング無線ベアラはＳＲＢ１であり、論理チャネルとしてはＤＣＣＨを使用し、送信方向はＥ−ＵＴＲＡＮから端末へである。
【０１２６】
好ましくは、このメッセージは、ＴＴＩバンドリングが設定されるセルを示すセル識別子（ＩＤ）、及びＴＴＩバンドリングが設定される基地局を示す基地局識別子（ＩＤ）を含むことができる。
【０１２７】
端末が第１基地局に属する第１セルに対してＴＴＩバンドリングを設定することを指示するメッセージを受信した場合、端末は、第１基地局と第２基地局とが同一であるか否かを判断する（Ｓ１４０７）。
【０１２８】
このとき、第１基地局と第２基地局とが異なる場合、端末は、Ｓ１４０５で受信したメッセージを有効なメッセージであると見なし、端末は、該当のメッセージによって第１セルに対してＴＴＩバンドリングを設定する（Ｓ１４０９）。
【０１２９】
一方、第１基地局と第２基地局とが同一である場合、端末は、Ｓ１４０５で受信したメッセージを無効なものと判断し、端末はＲＲＣ接続再設定手続を開始し、設定の失敗を第１基地局に知らせる（Ｓ１４１１）。すなわち、端末がＲＲＣ接続再設定メッセージに含まれた構成に適合できないので、端末は接続再設定手続の終了時点で接続再確立手続を開始するからである（Because, if the UE is not able to comply with configuration included in the RRCConnectionReconfiguration message, the UE initiate the connection re-establishment procedure upon which the connection reconfiguration procedure ends）。
【０１３０】
本発明の思想又は範囲から逸脱することなく、本発明の多様な変形及び変更が可能であることは当業者にとって自明である。よって、本発明は、添付の特許請求の範囲及びその同等物の範囲内で提供される本発明の変形及び変更をカバーするものと意図される。
【０１３１】
以上で説明された実施例は、本発明の構成要素と特徴とが所定の形態で結合され（組み合わせられ）たものである。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、又は、他の実施例の対応する構成又は特徴に置き換えられてもよい。特許請求の範囲において明示的な引用関係にない請求項を結合して実施例を構成したり、出願後の補正によって新たな請求項として含めたりできるということは明らかである。
【０１３２】
本発明の実施例において、基地局（ＢＳ）によって行われると説明された特定の動作は、上位ノードのＢＳによって行われてもよい。ＢＳを含む複数のネットワークノードで、ＭＳとの通信のために行われる様々な動作が、基地局によって行われたり、基地局以外の他のネットワークノードによって行われ得ることは明らかである。「ｅＮＢ」は、「固定局（fixed station）」、「ＮｏｄｅＢ」、「基地局（ＢＳ）」、アクセスポイントなどの用語に代替されてもよい。
【０１３３】
上述した実施例は、例えば、ハードウェア、ファームウェア、ソフトウェア又はこれらの組み合わせのような様々な手段によって具現されてもよい。
【０１３４】
ハードウェアの設定において、本発明の実施例に係る方法は、一つ又は複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどによって具現されてもよい。
【０１３５】
ファームウェアやソフトウェアによる具現の場合、本発明の一実施例は、以上で説明された機能又は動作を行うモジュール、手順、関数などの形態で具現されてもよい。ソフトウェアコードは、メモリユニット（デバイス）に格納され、プロセッサによって駆動され得る。上記メモリユニットは、上記プロセッサの内部又は外部に位置して、公知の様々な手段によって上記プロセッサとデータを交換することができる。
【０１３６】
本発明は、本発明の特徴を逸脱しない範囲で他の特定の形態に具体化できるということは、当業者にとって自明である。したがって、上記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０１３７】
以上の方法は、３ＧＰＰ  ＬＴＥシステムに適用される例示を中心に説明されたが、本発明は、３ＧＰＰ  ＬＴＥシステムの他にも様々な無線通信システムに適用可能である。
【図１２】
2017505017.tif 000009
【図１】
2017505017.tif 000010
【図２Ａ】
2017505017.tif 000011
【図２Ｂ】
2017505017.tif 000012
【図３】
2017505017.tif 000013
【図４】
2017505017.tif 000014
【図５】
2017505017.tif 000015
【図６】
2017505017.tif 000016
【図７】
2017505017.tif 000017
【図８】
2017505017.tif 000018
【図９】
2017505017.tif 000019
【図１０】
2017505017.tif 000020
【図１１Ａ】
2017505017.tif 000021
【図１１Ｂ】
2017505017.tif 000022
【図１３】
2017505017.tif 000023
【図１４】
2017505017.tif 000024
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
端末（ＵＥ）が無線通信システムで動作する方法において、
第１基地局（ＢＳ）に属するアップリンクが設定された第１セルを設定するステップであって、前記第１セルは、送信時間間隔（ＴＴＩ）バンドリングで設定されるステップと、
前記第１基地局と異なる第２基地局に属するアップリンクが設定された第２セルを設定することに関するメッセージを受信するステップと、
前記第２基地局に属するアップリンクが設定された前記第２セルを設定するステップと、を有し、
前記第２基地局に属するアップリンクが設定された前記第２セルが前記端末に設定された後、前記第１セルが前記第１基地局に属するアップリンクが設定された唯一のセルである場合、前記第１セルが設定された前記ＴＴＩバンドリングを動作不能にしない方法。
【請求項２】
前記メッセージは、前記第１基地局から受信する、請求項１に記載の方法。
【請求項３】
前記メッセージは、セルの識別子と、前記セルがどの基地局に属するかを示す基地局識別子と、を有する、請求項１に記載の方法。
【請求項４】
端末（ＵＥ）が無線通信システムで動作する方法において、
第１基地局（ＢＳ）に属するアップリンクが設定された第１セルと第２基地局に属するアップリンクが設定された第２セルとを設定するステップと、
前記第１セルを送信時間間隔（ＴＴＩ）バンドリングで設定することに関するメッセージを受信するステップと、
前記第１基地局と前記第２基地局とが異なる場合、前記メッセージによって前記第１セルを前記ＴＴＩバンドリングで設定するステップと、を有する方法。
【請求項５】
前記第１基地局と前記第２基地局とが同一である場合、接続再確立手続を開始するステップをさらに有する、請求項４に記載の方法。
【請求項６】
前記メッセージによって前記第１セルが設定された前記ＴＴＩバンドリングに関する設定の失敗を前記第１基地局に知らせるステップをさらに有する、請求項４に記載の方法。
【請求項７】
前記メッセージは、セルの識別子と、前記セルがどの基地局に属するかを示す基地局識別子と、を有する、請求項４に記載の方法。
【請求項８】
無線通信システムで動作する端末であって、
無線周波数（ＲＦ）モジュールと、
第１基地局（ＢＳ）に属するアップリンクが設定された第１セルを設定し、前記第１セルは、送信時間間隔（ＴＴＩ）バンドリングで設定され、
前記ＲＦモジュールを介して、前記第１基地局と異なる第２基地局に属するアップリンクが設定された第２セルを設定することに関するメッセージを受信し、
前記第２基地局に属するアップリンクが設定された前記第２セルを設定するよう構成されるプロセッサと、を有し、
前記第２基地局に属するアップリンクが設定された前記第２セルが前記端末に設定された後、前記第１セルが前記第１基地局に属するアップリンクが設定された唯一のセルである場合、前記第１セルが設定された前記ＴＴＩバンドリングを動作不能にしない、端末。
【請求項９】
前記メッセージは、前記第１基地局から受信される、請求項８に記載の端末。
【請求項１０】
前記メッセージは、セルの識別子と、前記セルがどの基地局に属するかを示す基地局識別子と、を有する、請求項８に記載の端末。
【請求項１１】
無線通信システムで動作する端末であって、
無線周波数（ＲＦ）モジュールと、
第１基地局（ＢＳ）に属するアップリンクが設定された第１セルと第２基地局に属するアップリンクが設定された第２セルとを設定し、
前記ＲＦモジュールを介して、前記第１セルを送信時間間隔（ＴＴＩ）バンドリングで設定することに関するメッセージを受信し、
前記第１基地局と前記第２基地局とが異なる場合、前記メッセージによって前記第１セルを前記ＴＴＩバンドリングで設定するよう構成されるプロセッサと、を有する、端末。
【請求項１２】
前記プロセッサは、前記第１基地局と前記第２基地局とが同一である場合、接続再確立手続を開始するようさらに構成される、請求項１１に記載の端末。
【請求項１３】
前記プロセッサは、前記メッセージによって前記第１セルが設定された前記ＴＴＩバンドリングに関する設定の失敗を前記第１基地局に知らせるようさらに構成される、請求項１１に記載の端末。
【請求項１４】
前記メッセージは、セルの識別子と、前記セルがどの基地局に属するかを示す基地局識別子と、を有する、請求項１１に記載の端末。
【国際調査報告】
2017505017.tif 000025
2017505017.tif 000026